(57)【要約】【課題】サーバのメンテナンスにより、子局と親局、もしくは、パルス計測器と子局の間の信号伝送が中断されても、簡単な構成で子局と親局とのパルス積算値を一致させることが可能な遠方監視装置を得る。【解決手段】電力量の使用量に応じてパルスを順次出力し、かつ出力されるパルスを積算しパルス積算値を出力するパルス計測器を有する子局１と、１からのパルス及びパルス積算値を信号伝送路２を介して保存すると共に、パルス及びパルス積算値を出力するサーバ１００と、１に対して離隔した位置にあって、１００内に保存したパルス及びパルス積算値を信号伝送路２を介して順次取込み保存すると共に、これを表示する出力回路２６を有する親局３と、１００内に保存されたパルスが特定値になる毎に１００内に保存されたパルス積算値の全桁を読出し、この読み出したパルス積算値の全桁を親局３に有する２６に保存されているパルス積算値に上書き保存するパルス積算値更新手段２００を備えたもの。【選択図】      図１
2010020409.tif 000002
【特許請求の範囲】
【請求項１】
電力量等の測定対象毎の使用量に応じてパルスを順次出力し、かつ前記出力されるパルスを積算しパルス積算値を出力するパルス計測器を有する子局と、
前記子局からのパルス及びパルス積算値を信号伝送路を介して保存すると共に、パルス及びパルス積算値を出力するサーバと、
前記子局に対して離隔した位置にあって、前記サーバ内に保存したパルス及びパルス積算値を信号伝送路を介して順次取込み保存すると共に、これを表示する出力手段を有する親局と、
前記サーバ内に保存されたパルスが特定値になる毎に前記サーバ内に保存されたパルス積算値の全桁を読出し、この読み出したパルス積算値の全桁を前記親局に有する出力手段に保存されているパルス積算値に上書き保存するパルス積算値更新手段と、
を備えたことを特徴する遠方監視装置。
【請求項２】
電力量等の測定対象毎の使用量に応じてパルスを順次出力し、かつ前記出力されるパルスを積算しパルス積算値を出力するパルス計測器を有する子局と、
前記子局からのパルス及びパルス積算値を信号伝送路を介して保存すると共に、パルス及びパルス積算値を出力するサーバと、
前記子局に対して離隔した位置にあって、前記サーバ内に保存したパルス及びパルス積算値を信号伝送路を介して順次取込み保存すると共に、これを表示する出力手段を有する親局と、
前記サーバからパルスが入力されてから所定時間になる毎に前記サーバ内に保存されたパルス積算値の全桁を読出し、この読み出したパルス積算値の全桁の０〜９の数値に応じて前記パルスのオン時間幅を変えて前記子局から前記親局へ送信すると共に、前記所定時間毎に前記パルス計測器からのパルス積算値の全桁を前記親局に有する出力手段に保存されている現在のパルス積算値に上書き保存するパルス積算値更新手段と、
を備えたことを特徴とする遠方監視装置。
【発明の詳細な説明】
【技術分野】
【０００１】
本発明は、電力量等の測定対象毎の使用量に応じてパルスを順次出力し、かつパルス積算値を出力するパルス計測器を有する子局と、この子局から信号伝送路を介して子局に対して離隔した位置であって、前記子局からのパルス、パルス積算値を保存すると共に出力する出力手段を有する親局とを備え、前記パルス計測器からのパルス積算値を前記子局から前記親局へ送信し、これを親局のパルス積算値として上書き（更新）する遠方監視装置に関する。
【背景技術】
【０００２】
従来、遠方監視装置の一例として、特許文献１があり、この発明は、子局において、積算値補正手段がパルス積算値を補正し、補正中通知手段が、この積算値補正手段によるパルス積算値の補正中、パルス補正中フラグをオン状態にすると共に、当該パルス補正中フラグとパルス積算値とを組にして親局に通知し、親局では、補正中出力阻止手段が、補正中通知手段からオン状態のパルス補正中フラグが通知されたとき、パルス信号の出力を阻止する遠方監視制御装置である。
【０００３】
従って、特許文献１に対応する発明によれば、子局では、積算値補正手段がパルス積算値を補正し、補正中通知手段が、この積算値補正手段によるパルス積算値の補正中、パルス補正中フラグをオン状態にすると共に、当該パルス補正中フラグとパルス積算値とを組にして親局に通知し、親局では、補正中出力阻止手段が、補正中通知手段からオン状態のパルス補正中フラグが通知されたとき、パルス信号の出力を阻止するので、子局にてパルス積算値を修正したとき、この修正中のパルス積算値を親局にて無視することにより、監視の正確性を向上させることができる。
【特許文献１】特開平８−８３１１９号公報
【発明の開示】
【発明が解決しようとする課題】
【０００４】
しかしながら、特許文献１の発明であっても、デマンド制御に利用し難いという問題点がある。
【０００５】
本発明は、サーバのメンテナンスにより、子局と親局の間の信号伝送が中断されても、簡単な構成で子局と親局との表示結果であるパルス積算値を一致させることが可能な遠方監視装置を提供することを目的とする。
【課題を解決するための手段】
【０００６】
前記目的を達成するため、請求項１に対応する発明は、電力量等の測定対象毎の使用量に応じてパルスを順次出力し、かつ前記出力されるパルスを積算しパルス積算値を出力するパルス計測器を有する子局と、前記子局からのパルス及びパルス積算値を信号伝送路を介して保存すると共に、パルス及びパルス積算値を出力するサーバと、前記子局に対して離隔した位置にあって、前記サーバ内に保存したパルス及びパルス積算値を信号伝送路を介して順次取込み保存すると共に、これを表示する出力手段を有する親局と、前記サーバ内に保存されたパルスが特定値になる毎に前記サーバ内に保存されたパルス積算値の全桁を読出し、この読み出したパルス積算値の全桁を前記親局に有する出力手段に保存されているパルス積算値に上書き保存するパルス積算値更新手段とを備えた遠方監視装置である。
【０００７】
前記目的を達成するため、請求項２に対応する発明は、電力量等の測定対象毎の使用量に応じてパルスを順次出力し、かつ前記出力されるパルスを積算しパルス積算値を出力するパルス計測器を有する子局と、前記子局からのパルス及びパルス積算値を信号伝送路を介して保存すると共に、パルス及びパルス積算値を出力するサーバと、前記子局に対して離隔した位置にあって、前記サーバ内に保存したパルス及びパルス積算値を信号伝送路を介して順次取込み保存すると共に、これを表示する出力手段を有する親局と、前記サーバからパルスが入力されてから所定時間になる毎に前記サーバ内に保存されたパルス積算値の全桁を読出し、この読み出したパルス積算値の全桁の０〜９の数値に応じて前記パルスのオン時間幅を変えて前記子局から前記親局へ送信すると共に、前記所定時間毎に前記パルス計測器からのパルス積算値の全桁を前記親局に有する出力手段に保存されている現在のパルス積算値に上書き保存するパルス積算値更新手段とを備えた遠方監視装置である。
【発明の効果】
【０００８】
本発明の遠方監視装置によれば、サーバや子局のメンテナンスにより、子局と親局の間もしくは、パルス計測器と子局の信号伝送が中断されても、簡単な構成で子局のパルス積算値を、親局の出力手段に現在表示されているパルス積算値に上書きすることができ、この結果子局と親局のパルス積算値の表示を一致させることができる。
【発明を実施するための最良の形態】
【０００９】
以下、本発明の遠方監視装置の実施形態について、図面を参照して説明する。図１は、全体の概略構成図であり、図２は図１の詳細な構成を示す図であり、これは以下のように子局（ＲＳ）１と、サーバ（ＳＶＳ）１００と、親局（ＨＩＳ）３と、図２のパルス積算値更新手段２００から構成されている。
【００１０】
子局１は、測定対象例えば電力量の使用量に応じてパルスを順次出力し、かつ出力されるパルスを積算しパルス積算値を出力するパルス計測器を有するものである。サーバ１００は、子局１からのパルス及びパルス積算値を信号伝送路２を介して保存すると共に、パルス及びパルス積算値を出力するものである。親局３は、子局１に対して離隔した位置にあって、サーバ１００内に保存したパルス及びパルス積算値を信号伝送路２を介して順次取込み保存すると共に、これを表示する出力手段例えば図２の出力回路２６を有するものである。
【００１１】
パルス積算値更新手段２００は、サーバ１００内に保存されたパルスが特定値例えば１００になる毎にサーバ１００内に保存されたパルス積算値の全桁例えば６桁を２値化して読出し、この読み出したパルス積算値の全桁を親局３に有する出力手段に保存されているパルス積算値に上書き保存するものである。
【００１２】
このように本実施形態によれば、パルス計測器のパルス積算値が１００になる毎に子局１と親局３のパルス積算値が同期つまり子局１のパルス積算値が親局３のパルス積算値に上書きされるので、監視の正確性が得られる。この作用効果は、サーバ１００のメンテナンスの有無に関係なく得られる。特定の積算値で送信されるため、積算値の増加が多いメータでは、中央監視装置の表示値精度が高くなる。
【００１３】
サーバ１００のメンテナンスにより、子局１と親局３の間の信号伝送が中断されても、簡単な構成で子局のパルス積算値を、親局の出力手段に現在表示されているパルス積算値に上書きすることができ、この結果子局と親局のパルス積算値の表示を一致させることができる。このため、デマンド制御に利用することができる。具体的には、測定対象の使用する量の上限を抑制したり、測定対象の使用する量に応じた料金等の精算時に利用できる。
【００１４】
以上述べた遠方監視装置は、具体的には図２に示すように構成されている。子局１は、ｎ個のアナログ入力端子を有するアナログ入力回路４の出力をＡ／Ｄ変換するＡ／Ｄ変換器５と、ｎ個のデジタル入力端子を有するデジタル入力回路６と、パルス入力端子を有するｎ個のパルスカウンタ７1 〜７n とが切替回路８及び送信回路９を介して伝送路２に接続されている。
【００１５】
親局３は伝送路２に接続された受信回路１０を有し、この受信回路１０が、分配回路１１を介し、Ｄ／Ａ変換器１２と、Ｄ／Ａ変換器１２に接続されたｎ個のアナログ出力端子を有するアナログ出力回路１５と、ｎ個のデジタル出力端子を有するデジタル出力回路１３と、パルス出力端子を有するｎ個のパルス出力部１４1 〜１４n とに接続されている。
【００１６】
この遠方監視制御装置のパルス入出力部分について説明する。子局１のパルスカウンタ７1 では、パルスカウンタ部１６がパルス入力端子から受けるパルス信号をカウントしてパルス積算値を求め、且つパルス積算値を表示出力回路１７を介して例えば１０進数６桁表示の表示器１８に表示すると共に、該パルス積算値を切替回路８を通して送信回路９に送出する。
【００１７】
なお、パルスカウンタ部７1 は、停電に備えてバッテリ２０にバックアップされている。
【００１８】
送信回路９は、このパルス積算値の全桁を伝送路２を介して親局３に伝送する。親局３では、受信回路１０が伝送信号を受信すると共に、該伝送信号に示されるパルス積算値を分配回路１１を介してパルス出力部１４1 に与える。パルス出力部１４1 では、パルスデータ記憶部２１がこのパルス積算値を記憶すると共に、該パルス積算値をＬ（ロウ）アクティブの一致回路２２に与える。
【００１９】
一方、パルス出力値記憶部２３は、前回のパルスデータ記憶部２１内のパルス積算値を記憶し、この前回のパルス積算値を一致回路２２に与えている。一致回路２２は今回のパルス積算値と前回のパルス積算値とを比べて両積算値に差があるか否かを判定し、両積算値に差があるときに増分有りを示すＨ（ハイ）レベル信号をＡＮＤ回路２４に送出する。ＡＮＤ回路２４は、Ｈレベル信号を受けるとき、パルス信号発生部２５から与えられるパルス信号を出力回路２６及びパルス出力値記憶部２３に通過させる。出力回路２６はこのパルス信号を出力する。
【００２０】
また、パルス出力値記憶部２３は、記憶している前回のパルス積算値をＡＮＤ回路２４からのパルス信号を受ける毎に増加させる。以下同様に、パルス出力値記憶部２３内のパルス積算値はパルス信号発生部２５にてパルス信号が送出される毎に更新され、あるとき、パルスデータ記憶部２１内の今回のパルス積算値と一致する。
【００２１】
一致回路２２は、これら両パルス積算値の一致した旨を判定し、Ｈレベル信号のＡＮＤ回路２４への送出を停止する。これにより、ＡＮＤ回路２４がパルス信号の通過を停止させるので、出力回路２６からのパルス信号の出力とパルス出力値記憶部２３内のパルス積算値の更新とが停止される。
【００２２】
このように、パルス出力部１４1 は、親局３が子局１から今回のパルス積算値を受信する受信周期毎に、前回のパルス積算値との増分に対応してパルス信号をパルス信号発生部２５からの発生タイミングにて出力している。
【００２３】
図３は、本発明の第１の実施形態のパルス計測器Ｍと子局ＲＳとの関係を説明するための図である。パルス計測器Ｍは、６桁を表示する表示器ＭＤと接点Ｓを有し、電力量等の使用量に応じてワンショットパルスを順次出力し、またパルス計測器Ｍはこの順次出力されるワンショットパルスを積算してパルス計測器Ｍのパルス積算値（表示値）を保存すると共に、パルス積算値が例えば１００増える毎に、計測器Ｍ内に有する接点Ｓが閉じるようになっていて、パルス計測器Ｍから表示値合せの信号が子局ＲＳに出力されるようになっている。子局ＲＳは、６桁を表示する表示器ＲＤを有するパルス積算器と、コンデンサＣを有し、コンデンサＣはパルス計測器Ｍからのワンショットパルスを記憶し、またパルス積算器はワンショットパルスを積算し、このパルス積算値（全６桁）を表示可能になっており、かつ計測器Ｍから表示値合せの信号が入力されたとき、その時点で子局ＲＳ内のパルス積算器のパルス積算値の表示が、パルス計測器Ｍからのパルス積算値（全６桁）に更新されるようになっている。
【００２４】
これに対して現状あるいは前述した特許文献１のパルス計測器Ｍと、子局ＲＳは、以下のような構成となっている。すなわち、パルス計測器Ｍは電力量等の使用量に応じてワンショットパルスを順次出力し、子局ＲＳではワンショットパルスを積算するが、例えば１分間で増えた分しか積算しないようになっている。このように構成しているのは、パルス計測器Ｍと、子局ＲＳの構成を簡単にするためである。
【００２５】
以上述べた第１の実施形態によれば、サーバ１００のメンテナンスにより、子局と親局の間の信号伝送が中断されても、パルス計測器Ｍと子局ＲＳの構成を変更するだけで、で子局のパルス積算値を、親局の出力手段に現在表示されているパルス積算値に上書きすることができ、この結果子局と親局のパルス積算値の表示を一致させることができる。
【００２６】
なお、第１の実施形態において、サーバ１００のメンテナンス中に、パルス計測器Ｍのパルス積算値が１００増えたときには、パルス積算値更新手段２００は、親局３にはサーバ１００からパルス積算値が送られないが、サーバ１００のメンテナンスが終わった時点でそれまでメンテナンス中に増加したパルス積算値を送るように働く。
【００２７】
本発明の第２の実施形態は、図２のパルス積算値更新手段２００を次のように構成した点以外は、前述の第１の実施形態と同一である。積算値更新手段２００は、サーバ１００からパルスが入力されてから所定時間になる毎にサーバ内１００に保存されたパルス積算値の全桁を読出し、この読み出したパルス積算値の全桁の０〜９の数値に応じてパルスのオン時間幅を変えて子局１から親局３へ送信すると共に、所定時間毎にパルス計測器からのパルス積算値の全桁を親局３に有する出力手段例えば出力回路２６に保存されている現在のパルス積算値に上書き保存するものである。
【００２８】
図４は、本発明の第２の実施形態のパルス計測器Ｍと子局ＲＳとの関係を説明するための図である。パルス計測器Ｍは、６桁を表示する表示器ＭＤと接点Ｓを有し、電力量等の使用量に応じてワンショットパルスを順次出力し、またパルス計測器Ｍはこの順次出力されるワンショットパルスを積算してパルス計測器Ｍのパルス積算値（表示値）を保存すると共に、所定時間例えば１００ｍｓｅｃ増える毎に、計測器Ｍ内に有する接点Ｓが閉じるようになっていて、パルス計測器Ｍから表示値合せの信号が子局ＲＳに出力されるようになっている。子局ＲＳは、６桁を表示する表示器ＲＤを有するパルス積算器と、コンデンサＣを有し、コンデンサＣはパルス計測器Ｍからのワンショットパルスを記憶し、またパルス積算器はワンショットパルスを積算し、このパルス積算値（全６桁）を表示可能になっており、かつ計測器Ｍから表示値合せの信号が入力されたとき、その時点で子局ＲＳ内のパルス積算器のパルス積算値の表示が、パルス計測器Ｍからのパルス積算値（全６桁）に更新されるようになっている。
【００２９】
このパルス積算値（全６桁）を送る場合、図５に示すように、例えば「１」はパルスオン幅を１０ｍｓｅｃのときとし、「２」はパルスオン幅を２０ｍｓｅｃのときとし、「１」はパルスオン幅を１０ｍｓｅｃのときとし、「３」はパルスオン幅を３０ｍｓｅｃのときとし、「４」はパルスオン幅を４０ｍｓｅｃのときとし、「５」はパルスオン幅を５０ｍｓｅｃのときとし、「６」はパルスオン幅を６０ｍｓｅｃのときとし、「７」はパルスオン幅を７０ｍｓｅｃのときとし、「８」はパルスオン幅を８０ｍｓｅｃのときとし、「９」はパルスオン幅を９０ｍｓｅｃのときとしている。
【００３０】
以上述べた第２の実施形態によれば、メータからのパルスオン時間幅を０〜９の数値に応じて可変させ、それを各桁サイクリックに信号を送信することで、親局側にて積算値を認識する。親局側から任意のタイミングで操作を行うことで、現場積算値との同期をとることができる。
【図面の簡単な説明】
【００３１】
【図１】本発明の遠方監視装置の実施形態の概略構成を示す図。
【図２】図１の子局及び親局の詳細な構成を説明するための図。
【図３】本発明の遠方監視装置の第１の実施形態を説明するための図。
【図４】本発明の遠方監視装置の第２の実施形態を説明するための図。
【図５】本発明の遠方監視装置の第２の実施形態を説明するための図。
【符号の説明】
【００３２】
１…子局、２…信号伝送路、３…親局、４…アナログ入力回路、５…ＡＤ変換器、６…デジタル入力回路、８…切替回路、９…送信回路、１０…受信回路、１１…分配回路、１２…ＤＡ変換器、１３…デジタル出力回路、１５…アナログ出力回路、１６…パルスカウンタ部、１７…表示出力回路、１８…表示器、２０…バッテリ、２１…パルスデータ記憶部、２２…一致回路、２３…パルス出力値記憶部、２４…ＡＮＤ回路、２５…パルス信号発生部、２６…出力回路、７1 〜７n…パルスカウンタ、１００…サーバ、１４1 〜１４n…パルス出力部、２００…パルス積算値更新手段。
【図１】
2010020409.tif 000003
【図２】
2010020409.tif 000004
【図３】
2010020409.tif 000005
【図４】
2010020409.tif 000006
【図５】
2010020409.tif 000007